(57)【要約】【課題】ネットワークを介して接続されたデバイスをモバイル等の情報処理装置で使用するときに、必要とするデバイスを選択し易くする。【解決手段】サブネット単位で構成されるネットワークを介して接続されているデバイス１０を使用する情報処理装置２０であって、デバイス１０に関するデバイス情報と、デバイス１０のネットワークアドレスと、を記憶する記憶手段と、情報処理装置２０に設定されているネットワークアドレスに基づいてサブネットを検出する検出手段と、情報処理装置２０が接続されているサブネットと同じサブネットに接続されているデバイス１０を、デバイス１０のネットワークアドレスに基づいて記憶手段から抽出する抽出手段と、抽出されたデバイス１０のデバイス情報を表示させる手段と、を有する情報処理装置２０。【選択図】図１
2005197969.tif 000002
【特許請求の範囲】
【請求項１】
サブネット単位で構成されるネットワークを介して接続されているデバイスを使用する情報処理装置であって、
前記デバイスに関するデバイス情報と、前記デバイスのネットワークアドレスと、を記憶する記憶手段と、
前記情報処理装置に設定されているネットワークアドレスに基づいてサブネットを検出する検出手段と、
前記情報処理装置が接続されているサブネットと同じサブネットに接続されているデバイスを、前記デバイスのネットワークアドレスに基づいて記憶手段から抽出する抽出手段と、
前記抽出されたデバイスのデバイス情報を表示させる手段と、
を有することを特徴とする情報処理装置。
【請求項２】
サブネット単位で構成されるネットワークを介して接続されているデバイスを使用する情報処理装置であって、
前記ネットワークを介して接続されているデバイスを検索する検索手段と、
前記デバイスに関するデバイス情報と、前記検索されたデバイスのネットワークアドレスと、を記憶する記憶手段と、
前記情報処理装置に設定されているネットワークアドレスに基づいてサブネットを検出する検出手段と、
前記情報処理装置が接続されているサブネットと同じサブネットに接続されているデバイスを、前記デバイスのネットワークアドレスに基づいて前記記憶手段から抽出する抽出手段と、
前記抽出されたデバイスのデバイス情報を表示させる手段と、
を有することを特徴とする情報処理装置。
【請求項３】
請求項１または２に記載の情報処理装置であって、
さらに、前記情報処理装置が接続されているサブネット以外に接続されているデバイスを、前記情報処理装置が接続されているサブネットに対応付けて前記記憶手段に記憶させる手段、
を有することを特徴とする情報処理装置。
【請求項４】
請求項１乃至３のいずれか１に記載の情報処理装置であって、
前記表示させる手段は、前記抽出されたデバイスのデバイス情報をツリー形式で表示することを特徴とする情報処理装置。
【請求項５】
請求項１乃至４のいずれか１に記載の情報処理装置であって、
さらに、前記抽出されたデバイスのみにアクセスしてデバイスの状態情報を取得する手段、
を有することを特徴とする情報処理装置。
【請求項６】
サブネット単位で構成されるネットワークを介して情報処理装置と接続されているデバイスの設定に関するデバイス設定情報を管理する方法であって、
前記デバイスに関するデバイス情報と、前記デバイスのネットワークアドレスと、を記憶するステップと、
前記情報処理装置に設定されているネットワークアドレスに基づいてサブネットを検出するステップと、
前記情報処理装置が接続されているサブネットと同じサブネットに接続されているデバイスを、前記デバイスのネットワークアドレスに基づいて記憶手段から抽出するステップと、
前記抽出されたデバイスのデバイス情報を表示させるステップと、
を含むことを特徴とするデバイス設定情報管理方法。
【請求項７】
サブネット単位で構成されるネットワークを介して情報処理装置と接続されているデバイスの設定に関するデバイス設定情報を管理する方法であって、
前記ネットワークを介して接続されているデバイスを検索するステップと、
前記デバイスに関するデバイス情報と、前記検索されたデバイスのネットワークアドレスと、を記憶するステップと、
前記情報処理装置に設定されているネットワークアドレスに基づいてサブネットを検出するステップと、
前記情報処理装置が接続されているサブネットと同じサブネットに接続されているデバイスを、前記デバイスのネットワークアドレスに基づいて前記記憶手段から抽出するステップと、
前記抽出されたデバイスのデバイス情報を表示させるステップと、
を含むことを特徴とするデバイス設定情報管理方法。
【請求項８】
サブネット単位で構成されるネットワークを介して情報処理装置と接続されているデバイスの設定に関するデバイス設定情報を管理するプログラムであって、
コンピュータに、
前記デバイスに関するデバイス情報と、前記デバイスのネットワークアドレスと、を記憶するステップと、
前記情報処理装置に設定されているネットワークアドレスに基づいてサブネットを検出するステップと、
前記情報処理装置が接続されているサブネットと同じサブネットに接続されているデバイスを、前記デバイスのネットワークアドレスに基づいて記憶手段から抽出するステップと、
前記抽出されたデバイスのデバイス情報を表示させるステップと、
を含む方法を実行させることを特徴とするデバイス設定情報管理プログラム。
【請求項９】
サブネット単位で構成されるネットワークを介して情報処理装置と接続されているデバイスの設定に関するデバイス設定情報を管理するプログラムであって、
コンピュータに、
前記ネットワークを介して接続されているデバイスを検索するステップと、
前記デバイスに関するデバイス情報と、前記検索されたデバイスのネットワークアドレスと、を記憶するステップと、
前記情報処理装置に設定されているネットワークアドレスに基づいてサブネットを検出するステップと、
前記情報処理装置が接続されているサブネットと同じサブネットに接続されているデバイスを、前記デバイスのネットワークアドレスに基づいて前記記憶手段から抽出するステップと、
前記抽出されたデバイスのデバイス情報を表示させるステップと、
を含む方法を実行させることを特徴とするデバイス設定情報管理プログラム。
【発明の詳細な説明】
【技術分野】
【０００１】
本発明は、ネットワークを介して接続されたデバイスを使用する情報処理装置、デバイス設定情報管理方法およびデバイス設定情報管理プログラムに関する。
【背景技術】
【０００２】
オープンオフィス化、ユビキタスネットワークが叫ばれている今日において、ブロードバンド環境、ワイヤレス環境の普及・発達、およびノートパソコン（ノートＰＣ）、携帯情報端末（ＰＤＡ）等のモバイルの小型軽量化により、モバイルを持ち歩いて複数の場所を移動する、いわゆるモバイルワーカが増えている。モバイルワーカは複数の場所でモバイルを設置し、それぞれの場所にあるプリンタ、ファックス、スキャナ等のデバイスからドキュメント等の印刷、送信、取り込み等の操作を行う。
【０００３】
このように複数の場所において、モバイルから上記のような操作を行う場合には、それぞれの場所に設置されたプリンタ、ファックス、スキャナ等に対応したドライバソフトを複数インストールしなければならないという問題がある。
【０００４】
複数のドライバソフトを使用しないために、例えば、特開２００２−２６８８５３号公報（特許文献１）には、モバイルワーカ向けプリントシステムが開示されている。このシステムではインターネット上にユーザパソコンから所望印刷データを登録でき、インターネットから該印刷データを取り出せるＡＳＰ（Active Server Pages）を設置し、インターネットを経由して所望の時期および印刷出力機器を設置した所望の場所で印刷物を取得できる。
【０００５】
また、特開２００２−１４０２５３号公報（特許文献２）には、同様なモバイルワーカ向けプリントを提供するシステムが開示されている。このシステムでは、印刷指示を受けると、プリントステーション宛の電子メールに印刷用コンテンツを格納して送信する電子メール作成手段を有するプリンタドライバにより、異なるメーカの異なる仕様のプリンタに対して統一したフォーマットあるいはプロトコルで印刷用データを提供するため、所望のプリントステーションでプリントアウトが可能である。
【０００６】
【特許文献１】特開２００２−２６８８５３号公報
【特許文献２】特開２００２−１４０２５３号公報
【発明の開示】
【発明が解決しようとする課題】
【０００７】
しかしながら、特許文献１のシステムでは、専用のプリンタドライバが必要であり、簡易なプリントは実現できてもプリンタの性能を最大限引き出すことは困難である。
【０００８】
また、特許文献２のシステムでは、繰返し訪れる場所でのプリンタドライバの管理は何らされていない。
【０００９】
このように複数のドライバソフトを使用しないシステムも提案されているが、上記のような問題から依然として複数のドライバソフトを使用せざるを得ないのが現状である。しかし、複数の場所で複数のプリンタを使用するために複数のドライバソフトをインストールすると、所望の場所に対応したデバイスのドライバソフトを探すのに時間がかかる。また、デバイスの機種名のみによりドライバが表示されるため、複数の場所に同じ機種名がある場合などには、現在いる場所にどのデバイスが存在し、どのデバイスが使用可能であるかがわかりにくい。
【００１０】
本発明は、ネットワークを介して接続されたデバイスを情報処理装置で使用するときに、必要とするデバイスを選択し易くする情報処理装置、デバイス設定情報管理方法およびデバイス設定情報管理プログラムを提供する。
【課題を解決するための手段】
【００１１】
本発明は、サブネット単位で構成されるネットワークを介して接続されているデバイスを使用する情報処理装置であって、前記デバイスに関するデバイス情報と、前記デバイスのネットワークアドレスと、を記憶する記憶手段と、前記情報処理装置に設定されているネットワークアドレスに基づいてサブネットを検出する検出手段と、前記情報処理装置が接続されているサブネットと同じサブネットに接続されているデバイスを、前記デバイスのネットワークアドレスに基づいて記憶手段から抽出する抽出手段と、前記抽出されたデバイスのデバイス情報を表示させる手段と、を有する。
【００１２】
また、本発明は、サブネット単位で構成されるネットワークを介して接続されているデバイスを使用する情報処理装置であって、前記ネットワークを介して接続されているデバイスを検索する検索手段と、前記デバイスに関するデバイス情報と、前記検索されたデバイスのネットワークアドレスと、を記憶する記憶手段と、前記情報処理装置に設定されているネットワークアドレスに基づいてサブネットを検出する検出手段と、前記情報処理装置が接続されているサブネットと同じサブネットに接続されているデバイスを、前記デバイスのネットワークアドレスに基づいて前記記憶手段から抽出する抽出手段と、前記抽出されたデバイスのデバイス情報を表示させる手段と、を有する。
【００１３】
また、前記情報処理装置において、さらに、前記情報処理装置が接続されているサブネット以外に接続されているデバイスを、前記情報処理装置が接続されているサブネットに対応付けて前記記憶手段に記憶させる手段、を有することが好ましい。
【００１４】
また、前記情報処理装置において、前記表示させる手段は、前記抽出されたデバイスのデバイス情報をツリー形式で表示することが好ましい。
【００１５】
また、前記情報処理装置において、さらに、前記抽出されたデバイスのみにアクセスしてデバイスの状態情報を取得する手段、を有することが好ましい。
【００１６】
また、本発明は、サブネット単位で構成されるネットワークを介して情報処理装置と接続されているデバイスの設定に関するデバイス設定情報を管理する方法であって、前記デバイスに関するデバイス情報と、前記デバイスのネットワークアドレスと、を記憶するステップと、前記情報処理装置に設定されているネットワークアドレスに基づいてサブネットを検出するステップと、前記情報処理装置が接続されているサブネットと同じサブネットに接続されているデバイスを、前記デバイスのネットワークアドレスに基づいて記憶手段から抽出するステップと、前記抽出されたデバイスのデバイス情報を表示させるステップと、を含む。
【００１７】
また、本発明は、サブネット単位で構成されるネットワークを介して情報処理装置と接続されているデバイスの設定に関するデバイス設定情報を管理する方法であって、前記ネットワークを介して接続されているデバイスを検索するステップと、前記デバイスに関するデバイス情報と、前記検索されたデバイスのネットワークアドレスと、を記憶するステップと、前記情報処理装置に設定されているネットワークアドレスに基づいてサブネットを検出するステップと、前記情報処理装置が接続されているサブネットと同じサブネットに接続されているデバイスを、前記デバイスのネットワークアドレスに基づいて前記記憶手段から抽出するステップと、前記抽出されたデバイスのデバイス情報を表示させるステップと、を含む。
【００１８】
また、本発明は、サブネット単位で構成されるネットワークを介して情報処理装置と接続されているデバイスの設定に関するデバイス設定情報を管理するプログラムであって、コンピュータに、前記デバイスに関するデバイス情報と、前記デバイスのネットワークアドレスと、を記憶するステップと、前記情報処理装置に設定されているネットワークアドレスに基づいてサブネットを検出するステップと、前記情報処理装置が接続されているサブネットと同じサブネットに接続されているデバイスを、前記デバイスのネットワークアドレスに基づいて記憶手段から抽出するステップと、前記抽出されたデバイスのデバイス情報を表示させるステップと、を含む方法を実行させる。
【００１９】
さらに、本発明は、サブネット単位で構成されるネットワークを介して情報処理装置と接続されているデバイスの設定に関するデバイス設定情報を管理するプログラムであって、コンピュータに、前記ネットワークを介して接続されているデバイスを検索するステップと、前記デバイスに関するデバイス情報と、前記検索されたデバイスのネットワークアドレスと、を記憶するステップと、前記情報処理装置に設定されているネットワークアドレスに基づいてサブネットを検出するステップと、前記情報処理装置が接続されているサブネットと同じサブネットに接続されているデバイスを、前記デバイスのネットワークアドレスに基づいて前記記憶手段から抽出するステップと、前記抽出されたデバイスのデバイス情報を表示させるステップと、を含む方法を実行させる。
【発明の効果】
【００２０】
本発明により、サブネット単位で構成されるネットワークを介して接続されたデバイスを情報処理装置で使用するときに、デバイスとデバイスを接続したサブネットとを関連づけて記憶しておき、その中から情報処理装置が接続されているサブネットに関連づけられたデバイスを抽出表示することにより、必要とするデバイスを選択し易くし、また、デバイスの設定に関するデバイス設定情報を簡単な操作で参照、管理することができる。
【発明を実施するための最良の形態】
【００２１】
図１は、本発明の一実施形態におけるデバイス管理システムを実現する構成を示すブロック図である。１つ以上のデバイス１０と、本実施形態のデバイス設定情報管理方法を実現するプログラムが格納された、１つ以上の情報処理装置２０とがサブネット単位で構成される等のネットワークを介して、所定のプロトコルにしたがって相互に情報伝達可能に接続されている。図１においては、サブネットＸに３台のデバイス１０Ａ，１０Ｂ，１０Ｃが、サブネットＹに３台のデバイス１０Ｄ，１０Ｅ，１０Ｆが、サブネットＺに３台のデバイス１０Ｇ，１０Ｈ，１０Ｉがネットワークを介して互いに接続されており、情報処理装置２０はサブネットＸに接続されている。
【００２２】
デバイス１０としては例えば、プリンタ、コピー機、ファックス、スキャナ、およびそれらの複合機等が挙げられる。情報処理装置２０としては、パーソナルコンピュータ、ノートパソコン、携帯情報端末、携帯電話等が挙げられる。特に、複数の場所に簡単に持ち運びが可能なノートパソコン、携帯情報端末、携帯電話等のモバイルが好ましい。情報処理装置２０はネットワークを介して、それぞれの場所で必要なデバイス１０を使用して、書類等の印刷、コピー、取り込み、送信等を行う。また、情報処理装置２０から複合機内のデータ等の格納場所（ボックス）にアクセスし、保管されたデータ等の取り込み、データ等の送信等を行ってもよい。
【００２３】
本実施形態のデバイス設定情報管理方法を実現するプログラムが格納された情報処理装置２０は、図２に示すように、制御部１００、記憶部１２０、表示部１４０、入力部１６０、データインターフェース１８０等を含んで構成される。なお、これらの構成全てが１つの装置に含まれている必要はない。
【００２４】
制御部１００は、ＣＰＵ等の制御素子を含んで構成され、情報処理装置２０を統合的に制御する機能を有する。記憶部１２０には、半導体メモリ、ハードディスク等を含んで構成され、制御部１００で処理されるプログラム、デバイス情報等の各種データ等の電子情報を格納及び保持する。格納及び保持されるデータが大量となる場合には、ハードディスク装置、磁気テープ装置、磁気ディスク装置、光ディスク装置、光磁気ディスク装置等の大容量記憶装置を補助記憶装置として用いることも好適である。表示部１４０は、モニタ、タッチパネル等を含んで構成され、ユーザに対して処理に用いられる情報を提示するために用いられる。入力部１６０はキーボード、マウス、タッチパネル等を含んで構成され、ユーザから処理に用いられる各種情報を取得するために用いられる。データインターフェース１８０は、ネットワーク等を介して、デバイス１０等におけるデータインターフェースと情報伝達可能に接続され、各種情報を送受信するために用いられる。
【００２５】
本実施形態において、デバイス設定情報管理方法は情報処理装置２０の記憶部１２０に格納されたデバイス設定情報管理プログラムを実行することにより実現される。ここで、管理されるデバイス設定情報としては、ネットワークを介して接続されたデバイス１０を制御するドライバソフトの設定情報や、ドライバソフトのインストールに関する設定情報（例えば、ドライバソフトがインストール済みか否か、インストールされているドライバソフトのバージョン等の情報）や、デバイス１０の本体に対する設定情報や、情報処理装置２０の記憶部１２０に格納されているソフトウェアに対する設定情報等が挙げられる。
【００２６】
以下、本発明の一実施形態における情報処理装置２０の動作手順について詳細に説明する。図３に本実施形態の動作手順を示すフローチャートを示す。
【００２７】
情報処理装置２０は所望のサブネット（ここではサブネットＸ）に接続され、情報処理装置２０に格納された、本実施形態に係るデバイス設定情報管理プログラムがユーザにより起動される。プログラムが起動されると、制御部１００はプログラム操作画面を表示部１４０に表示させる。
【００２８】
ステップＳ５００では、ネットワーク情報が検出される。ネットワーク情報としては現在、情報処理装置２０が接続されているサブネットで定められる場所（以下カレント拠点と呼ぶ）に関するネットワーク情報、例えばＩＰアドレス等が挙げられる。ネットワーク情報の検出は自動で行われ、プログラムが起動されたときに、現在接続されているネットワークを識別し、カレント拠点を選出されることが好ましい。例えば、ＡＰＩ（Application Program Interface）等を利用して、ＯＳに設定されているＩＰアドレス等のネットワークアドレスを取得する。
【００２９】
現在接続されているネットワークが検知されない場合は新たにネットワーク情報が登録される（Ｓ５０２）。ネットワーク情報の登録は、自動登録、手動登録のいずれで行われてもよい。自動の場合、例えば、制御部１００は、ＤＨＣＰ（Dynamic Host Configuration Protocol）サーバ等からカレント拠点に関するネットワーク情報を取得する。手動の場合はユーザによりカレント拠点のネットワーク情報が入力部１８０から入力されるか、表示部１４０に表示された、これまでに接続したことがあり既に登録されているネットワーク情報の中からカレント拠点のネットワーク情報が選択される。このとき、実際に接続されるネットワークとは異なるサブネットがカレント拠点として選択されてもよい。なお、ネットワークに接続しない場合には、ネットワーク情報をオフラインとして自動または手動で選択されてもよい。なお、新規に入力されたネットワーク情報は、サブネットとともに記憶部１２０に格納される。
【００３０】
ステップＳ５２０では、制御部１００は、あらかじめ記憶部１２０に登録されたデバイス情報を検索し、現在接続されているサブネットに関連づけられたデバイス１０Ａ，１０Ｂ，１０Ｃを検索する。このとき、ＴＣＰ／ＩＰネットワークで使われるネットワーク管理用のプロトコルであるＳＮＭＰ（Simple Network Management Protocol）、サリュテーション（Salutation）等を用いて、ネットワークに接続されたデバイス１０を検索してもよい。初めて検索されたデバイス１０に対しては、接続場所情報（例えば、サブネット名、ＩＰアドレス等）が自動または手動で入力されて記憶部１２０に登録される。
【００３１】
ここで、記憶部１２０には、デバイス情報が記憶されている。ここでいうデバイス情報には、登録した設置場所、該設置場所のＩＰアドレス、サブネットアドレス、該設置場所に関連づけられているデバイス、関連づけられているデバイス固有の情報、その他ネットワークの設定等が含まれる。そして、デバイス名とデバイスの設置されているサブネットが関連づけられて記憶される。
【００３２】
新しいネットワークに初めて接続したときは、そのネットワークに対応するデバイス１０が自動的に追加されることが好ましい。また、そのとき、一時利用の場合はそのデバイス１０を使用し終わった後に自動または手動で消去されてもよい。そこが繰り返し訪れる場所で、その後も繰返し使用する可能性のあるデバイス１０については自動または手動で登録されてもよい。登録することにより、記憶部１２０にそのサブネットと関連づけられて記憶されるため、以降はそのサブネットで情報処理装置２０を接続したときに使用可能なデバイス１０として選択可能なように表示される。
【００３３】
ステップＳ５４０では、制御部１００は表示部１４０に、検索したサブネットごとのフォルダと、そのフォルダの下に配置されるデバイスフォルダ、検索したデバイス１０を示すデバイスアイコン等を作成する。表示方法としては例えば、図４に示すようにツリー表示が行われることが好ましい。このとき、情報処理装置２０を接続したカレント拠点に関連づけられたデバイス１０Ａ，１０Ｂ，１０Ｃと、それ以外のデバイス１０Ｄ〜１０Ｉを区別して表示することが好ましい。また、カレント拠点以外のデバイスは、サブネットごとに表示されることが好ましい。さらに、カレント拠点に関連づけられたデバイス１０Ａ〜１０Ｃの中でも現在使用可能なデバイス１０Ａ，１０Ｂと使用不可能なデバイス１０Ｃを、例えばその属性（使用可能か不可能か等）を隣に表示するようにして、区別して表示することが好ましい。なお、表示されるデバイスフォルダ、デバイスアイコン等は、ユーザが自由に階層を定義して再配置することも可能である。
【００３４】
デバイスアイコンは、そのデバイス１０の利用可能な機能、例えば、コピー、ファックス、スキャン、印刷等、ごとに作成され、その機能ごとにフォルダを作成して分類表示されてもよい。該機能ごとのフォルダはデバイスフォルダの下に配置される。
【００３５】
また、使用可能なデバイス１０の中で、ドライバソフトをインストールしなくてもよいデバイス１０と、ドライバソフトをインストールする必要があるデバイス１０を分けて表示してもよい。そのとき、そのインストールされていないデバイス１０のドライバソフトが、例えばそのデバイス１０を選択したときに自動的にインストールされることが好ましい。
【００３６】
また、上記のようにサブネットに関連づけられたデバイス１０を区別して表示するモードと、従来のようにデバイス１０の機種ごとに表示するモード等を切り替え可能なようにしてもよい。
【００３７】
また、デバイス情報においては、そのサブネットに関連づけられたデバイス１０以外にも、そのサブネットに存在していない他のデバイス１０をユーザが任意に関連づけることも可能である。例えば、サブネットＸに接続したときに、異なるサブネットＹのデバイス１０Ｆを使用したいときに、サブネットＸにデバイス１０Ｆを関連づけてあらかじめ設定しておく。このときは、カレント拠点がサブネットＸとして設定または検出されると、図５に示すように、サブネットＸで使用可能なデバイス名として、そのサブネットに関連づけられていなくても予め登録しておいたデバイス１０Ｆも表示される。また、過去に使用したデバイス１０は、例えば、履歴として履歴フォルダの下に別途表示されてもよい。
【００３８】
ステップＳ５６０では、ユーザはカレント拠点の中において現在使用可能なプリンタ、ファックス、スキャナ、複合機等のデバイス１０Ａまたは１０Ｂのアイコンを、例えばダブルクリック、または作業を行うファイルをデバイス１０のアイコン上にドラッグアンドドロップ等をすることにより、ドキュメント等の印刷、コピー、送信、取り込み等の作業の指示を行う。このとき、他のサブネットのデバイス１０Ｄ〜１０Ｉは選択不可能な、例えばダブルクリック等を行っても作業が実行されないようにしてもよい。初めて使用するデバイス１０のドライバソフトは、印刷等の指示を行ったときに自動でインストールされてもよい。
【００３９】
このように従来のように、情報処理装置２０が接続されているサブネットに関連なくデバイス名が並んで表示されるのに比較して、サブネットとデバイス１０を関連づけるため、現在情報処理装置２０が接続されているサブネットで使用可能なデバイス１０Ａ，１０Ｂをわかり易く表示することができ、そのサブネットに対応したデバイス１０Ａ，１０Ｂをすぐに選択することができる。特に、同じ機種名のデバイス１０が複数のサブネットに存在している場合にも、従来は機種名が同じであるため判別が困難であったが、本実施形態のようにサブネットの単位で表示することにより、容易に目的のデバイス１０Ａ，１０Ｂを選択することができる。
【００４０】
また、本実施形態においては、抽出されたサブネットごとにデバイス１０に対して、ＳＮＭＰ（Simple Network Management Protocol）、サリュテーション（Salutation）等を用いて、常時または定期的にアクセスを行い、デバイス１０の状態情報を取得することが好ましい。また、取得した状態情報を表示部１４０に表示してもよい。状態情報とは、例えば、現在該デバイスが使用可能であるかどうか、印刷等のジョブを実行中、ジョブ実行終了、等のデバイス１０の状態を示す情報である。このとき、サブネットの単位でデバイス１０を抽出するため、接続していないサブネットのデバイス１０については状態情報の取得は行わないので、無駄なトラフィックが発生せず、処理時間の短縮にもつながる。
【００４１】
このとき、状態表示をしてもよいし、ボックス表示をしてもよい。このとき、サブネットの単位でデバイス１０を抽出するため、接続していないサブネットのデバイス１０については状態情報の取得は行わないので、無駄なトラフィックが発生せず、処理時間の短縮にもつながる。
【産業上の利用可能性】
【００４２】
本発明により、ネットワークに接続されたデバイスを情報処理装置で使用するときに、デバイスを接続されているサブネットと関連づけて記憶しておき、その中から情報処理装置が接続されているサブネットに関連づけられたデバイスを抽出表示することにより、必要とするデバイスを選択し易くする。また、デバイスに対するドライバ等のデバイス設定情報を簡単な操作で参照、管理できる。そのため、例えば、複数の場所でモバイル等の情報処理装置を設置し、それぞれの場所にあるプリンタ、ファックス、スキャナ等のデバイスからドキュメント等の印刷、送信、取り込み等の操作を容易に行うことができる。
【図面の簡単な説明】
【００４３】
【図１】本発明の一実施形態におけるデバイス管理システムを実現する構成を示すブロック図である。
【図２】本発明の一実施形態における情報処理装置の構成を示すブロック図である。
【図３】本発明の一実施形態におけるデバイス設定情報管理方法の動作手順を示すフローチャートである。
【図４】本発明の一実施形態における情報処理装置の表示画面の一例を示す図である。
【図５】本発明の一実施形態における情報処理装置の表示画面の別の例を示す図である。
【符号の説明】
【００４４】
１０  デバイス、２０  情報処理装置、１００  制御部、１２０  記憶部、１４０  表示部、１６０  入力部、１８０  データインターフェース。
【図１】
2005197969.tif 000003
【図２】
2005197969.tif 000004
【図３】
2005197969.tif 000005
【図４】
2005197969.tif 000006
【図５】
2005197969.tif 000007